Podtech/llm-jp-corpus-v4-ja_patent huggingface dataset:
【手続補正書】
【提出日】平成19年10月23日(2007.10.23)
【手続補正１】
【補正対象書類名】特許請求の範囲
【補正対象項目名】全文
【補正方法】変更
【補正の内容】
【特許請求の範囲】
【請求項１】
デジタル画像のシーンの分類方法であって、
（ａ）前記デジタル画像から１つ又は複数の既定のカメラのメタデータタグを抽出する段階と、
（ｂ）前記抽出したカメラのメタデータタグに基づいて画像クラスの推定値を取得し、これにより、メタデータに基づいた推定値を提供する段階と、
（ｃ）画像コンテンツの特徴に基づいて画像クラスの推定値を取得し、これにより、画像コンテンツに基づいた推定値を提供する段階と、
（ｄ）前記メタデータに基づいた推定値と前記画像コンテンツに基づいた推定値の組み合わせに基づいて、画像クラスの最終的な推定値を生成する段階と、
を含んで成る方法。
【請求項２】
デジタル画像の画像改善方法であって、
（ａ）画像の特徴とメタデータに基づいて、前記デジタル画像の複数のシーンクラスへのシーンの分類を実行する段階と、
（ｂ）前記デジタル画像の前記シーンクラスに応答して、カスタマイズされた画像改善手順を適用する段階と、
を含んで成る方法。
【手続補正書】
【提出日】平成19年4月18日(2007.4.18)
【手続補正１】
【補正対象書類名】特許請求の範囲
【補正対象項目名】全文
【補正方法】変更
【補正の内容】
【特許請求の範囲】
【請求項１】
処理チャンバ内のワークピースを支持する装置であって、当該装置は、
前記ワークピースを支持する表面を有する第１のチャックに結合されたヒータと、
冷却デバイスを有する第２のチャックであって、前記冷却デバイスが当該第２のチャックに結合されている、第２のチャックと
を具備し、
前記第２のチャックは、前記第１のチャックと前記第２のチャックとの間の熱伝達の比率を変化させるために前記第１のチャックに熱的に結合可能である、
装置。
【請求項２】
前記第１のチャックと前記第２のチャックとの間の熱伝達の比率を変化させることによって前記第１のチャックの温度を制御するようにプログラムされている制御装置をさらに具備する、
請求項１に記載の装置。
【請求項３】
前記冷却デバイスは、前記第２のチャックを介して熱伝達流体を循環させるため、前記第２のチャックを介して延びる流体通路を具備する、
請求項１に記載の装置。
【請求項４】
前記第２のチャックは、前記第２のチャックを前記第１のチャックに向かっておよび前記第１のチャックから離れて選択的に移動させるように構成されている位置制御装置に結合されている、
請求項１に記載の装置。
【請求項５】
前記ヒータは電気抵抗式加熱要素を具備する、
請求項１に記載の装置。
【請求項６】
前記第１のチャックと前記第２のチャックとの間の空間にガスを注入するように構成されている、少なくとも１つの流体アウトレットをさらに具備する、
請求項１に記載の装置。
【請求項７】
前記流体アウトレットは、前記第２のチャックの上面にある、
請求項６に記載の装置。
【請求項８】
前記第２のチャックは、前記第１のチャックの垂直方向の下部に位置する前記処理チャンバ内に配設されている、
請求項１に記載の装置。
【請求項９】
前記第２のチャックは、前記第１のチャックの下表面と接触して移動すべきように構成されている上表面を具備する、
請求項１に記載の装置。
【請求項１０】
前記第２のチャックは、前記第１のチャックから少なくとも０．５インチ（１．２７ｃｍ）離れて移動可能である、
請求項１に記載の装置。
【請求項１１】
前記第２のチャックは、ベローズによって包囲されている中心カラムによって支持されている、
請求項１に記載の装置。
【請求項１２】
前記第２のチャックは、アルミニウムまたはアルミニウム合金で製造されている、
請求項１に記載の装置。
【請求項１３】
前記第１のチャックは、セラミック材料で形成されている、
請求項１２に記載の装置。
【請求項１４】
前記セラミック材料は、アルミニウム・ナイトライドである、
請求項１３に記載の装置。
【請求項１５】
第１の加熱されたチャックと第２の冷却されたチャックを具備する装置内のワークピースを処理する方法であって、当該方法が下記の諸段階、すなわち、
前記ワークピースを前記第１のチャックに配置する段階、
前記第２のチャックを前記第１のチャックに対して相対的な第１の位置に位置決めする段階、
第１の温度で前記ワークピースに第１の処理を行う段階、
前記第２のチャックが前記第１のチャックに対して相対的な第２の位置に位置するまで、前記第２のチャックを前記第２のチャックに対して相対的に移動させる段階、および、
第２の温度で前記ワークピースに第２の処理を行う段階
を具備する方法。
【手続補正書】
【提出日】平成19年9月7日(2007.9.7)
【手続補正１】
【補正対象書類名】特許請求の範囲
【補正対象項目名】請求項１
【補正方法】変更
【補正の内容】
【請求項１】
外側エンベロープにより囲まれ、不活性ガスを含むイオン化可能な充填物を有する放電空間を閉じる壁を持つ、セラミック材料でできた細長い放電容器を有する高輝度放電ランプであって、前記放電空間の両端部において電極が配されてこれら電極の間で放電アークが放電路に沿って維持でき、前記放電容器の一方の端部が取り付けベースに取り付けられ、前記放電路から側面的に延在する略帯状の光シールドストリップと、前記取り付けベースから前記放電容器の他方の端部における電極まで電流を供給するリード戻り導線とを有する高輝度放電ランプにおいて、前記リード戻り導線が横断面から見て前記放電容器の中心及び前記ストリップのエッジを通る２つのラインにより規定されるセクタ内に位置することを特徴とする高輝度放電ランプ。
【手続補正２】
【補正対象書類名】特許請求の範囲
【補正対象項目名】請求項３
【補正方法】変更
【補正の内容】
【請求項３】
前記ストリップ及び前記リード戻り導線は、横断面で見てランプの中心を通る一つの半径の線上に位置されることを特徴とする、請求項１又は２に記載の高輝度放電ランプ。
【手続補正３】
【補正対象書類名】特許請求の範囲
【補正対象項目名】請求項５
【補正方法】変更
【補正の内容】
【請求項５】
前記ストリップ及び前記リード戻り導線は、横断面で見てランプの中心を通る一つの半径の線上に位置されることを特徴とする、請求項１乃至４の何れか一項に記載の高輝度放電ランプ。
【手続補正書】
【提出日】平成19年11月8日(2007.11.8)
【手続補正１】
【補正対象書類名】特許請求の範囲
【補正対象項目名】全文
【補正方法】変更
【補正の内容】
【特許請求の範囲】
【請求項１】
式（Ｉ）の化合物またはこれの薬学的に許容される塩、エステル、アミド、もしくはプロドラッグ。
【化１】
2007515483.tif 000001
［式中、
ｎ１は、０、１、または２であり；
ｎ２は、０、１、または２であり；
Ｘは、Ｏ、ＳまたはＮＲ１からなる群から選択されるか、Ｘは結合であり；
Ａｒ１は、次の式の基である
【化２】
2007515483.tif 000002
（Ｘ１、Ｘ２、Ｘ３、およびＸ４はそれぞれ独立に、Ｎおよび−ＣＲ２からなる群から選択され；
Ｙ１、Ｙ２、およびＹ３はそれぞれ独立に、Ｎ、Ｏ、Ｓ、および−ＣＲ２からなる群から選択され；
Ｙ４は、ＣまたはＮであり、但し、Ｙ４がＣである場合、Ｙ１、Ｙ２、およびＹ３の少なくとも１つは−ＣＲ２以外であり；
Ｚ１、Ｚ２、およびＺ３は、それぞれ独立に、Ｎ、Ｏ、Ｓ、および−ＣＲ２からなる群から選択され；
Ｒ１は、水素、アルキル、アルコキシカルボニル、アルキルスルホニル、およびアリールスルホニルからなる群から独立に選択され；
Ｒ２はそれぞれの場合に、水素、ハロゲン、アルキル、アルコキシ、アルキルカルボニル、および−ＮＲ３Ｒ４からなる群から独立に選択され；
Ｒ３およびＲ４はそれぞれ独立に、水素およびアルキルからなる群から選択される。）。］
【請求項２】
以下の式からなる群から選択される請求項１に記載の化合物。
【化３】
2007515483.tif 000003
［式中、Ａｒ１は、式（Ｉ）の化合物に対して既に定義した通りであり、Ｒ６は、水素、ハロゲン、アルキル、フェニル、−Ｏ−Ｒ７、および−ＮＨ−Ｒ７（Ｒ７は、水素、アルキル、およびアリールである。）からなる群から選択される。］
【請求項３】
Ａｒ１が、以下の式からなる群から選択される請求項１に記載の化合物。
【化４】
2007515483.tif 000004
2007515483.tif 000005
［式中、Ｒ２はそれぞれの場合に、請求項１において定義した通りであり；ｍはそれぞれの場合に、０．１，２、または３であり；ｐはそれぞれの場合に、０、１、または２であり；ｑはそれぞれの場合に、０、１、または２である。］
【請求項４】
Ａｒ１が、フェニル、またはアミノにより置換されたフェニルである請求項１に記載の化合物。
【請求項５】
ｎ２が１である請求項１に記載の化合物。
【請求項６】
以下の化合物からなる群から選択される請求項１に記載の化合物、またはこの薬学的に許容される塩、エステル、アミド、もしくはプロドラッグ。
５’−フェニル−３’Ｈ−スピロ［４−アザビシクロ［２．２．２］オクタン−２，２’−［１］ベンゾフラン］；
５’，７’−ジフェニル−３’Ｈ−スピロ［４−アザビシクロ［２．２．２］オクタン−２，２’−［１］ベンゾフラン］；
３−（３’Ｈ−スピロ［４−アザビシクロ［２．２．２］オクタン−２，２’−［１］ベンゾフラン］−５’−イル）アニリン；
５’−フェノキシ−３’Ｈ−スピロ［４−アザビシクロ［２．２．２］オクタン−２，２’−［１］ベンゾフラン］；
５’，７’−ジフェノキシ−３’Ｈ−スピロ［４−アザビシクロ［２．２．２］オクタン−２，２’−［１］ベンゾフラン］；
７’−ブロモ−５’−フェノキシ−３’Ｈ−スピロ［４−アザビシクロ［２．２．２］オクタン−２，２’−［１］ベンゾフラン］；
Ｎ−フェニル−３’Ｈ−スピロ［４−アザビシクロ［２．２．２］オクタン−２，２’−［１］ベンゾフラン］−５’−アミン；
Ｎ，Ｎ’−ジフェニル−３’Ｈ−スピロ［４−アザビシクロ［２．２．２］オクタン−２，２’−［１］ベンゾフラン］−５’，７’−ジアミン；および
５’−（１Ｈ−インドール−５−イル）−３’Ｈ−スピロ［４−アザビシクロ［２．２．２］オクタン−２，２’−［１］ベンゾフラン］
【請求項７】
薬学的に許容される担体と組み合わせて、治療有効量の請求項１に記載の化合物を含む医薬組成物。
【請求項８】
有効量の請求項１の化合物を投与することを含む、哺乳動物におけるα７型ニコチン性アセチルコリン受容体の作用を選択的に調節する方法。
【請求項９】
請求項１に記載の化合物を投与するステップを含む、α７型ニコチン性アセチルコリン受容体により調節される状態または障害を治療する方法。
【請求項１０】
前記の状態または障害が、注意力欠如障害、注意欠陥・多動性障害（ＡＤＨＤ）、アルツハイマー病（ＡＤ）、軽度認知障害、老年認知症、ＡＩＤＳ認知症、ピック病、レビー小体型認知症、ダウン症候群に付随する認知症、筋萎縮性側索硬化症、ハンチントン病、外傷性脳損傷に付随するＣＮＳの機能低下、急性疼痛、手術後の疼痛、慢性疼痛、炎症性疼痛、神経因性疼痛、不妊、創傷治癒に伴う新しい血管成長の必要、皮膚移植の血管新生に付随する新しい血管成長の必要、および循環（より特定すると血管閉塞の周辺での循環）の欠如からなる群から選択される請求項９に記載の方法。
【請求項１１】
前記の病状または障害が、認知障害、神経変性、および統合失調症からなる群から選択される請求項９に記載の方法。
【請求項１２】
非定型抗精神病薬と組み合わせて請求項１の化合物を投与することをさらに含む、請求項９に記載の方法。
【手続補正書】
【提出日】平成19年11月5日(2007.11.5)
【手続補正１】
【補正対象書類名】特許請求の範囲
【補正対象項目名】全文
【補正方法】変更
【補正の内容】
【特許請求の範囲】
【請求項１】
ａ）二酸化ケイ素（ＳｉＯ2）６５〜９９．９５モル％、
ｂ）酸化アルミニウムおよび／または酸化ホウ素（Ａｌ2Ｏ3、Ｂ2Ｏ3）０〜１５モル％、
ｃ）酸化ジルコニウムおよび／または酸化チタニウムおよび／または酸化ハフニウム（ＺｒＯ2、ＴｉＯ2、ＨｆＯ2）、Ｙ2Ｏ3および／またはＳｃ2Ｏ3および／またはＬａ2Ｏ3および／またはＣｅＯ2および／または他のランタニド酸化物０〜３０モル％、
ｄ）アルカリ金属酸化物（Ｎａ2Ｏ、Ｌｉ2Ｏ、Ｋ2Ｏ、Ｒｂ2Ｏ、Ｃｓ2Ｏ）０．０５〜
４モル％、
ｅ）アルカリ土類金属酸化物（ＭｇＯ、ＣａＯ、ＳｒＯ、ＢａＯ）０〜２５モル％、
を含有する、歯科用複合材および歯科用修復物において使用されるガラスフィラー材料であって、
前記ガラスフィラー粒子は、平均粒度０．１〜２０μｍを有し、かつこれらの粒子は、内部領域および１．５μｍまでの外部領域を有し、かつ内部領域のアルカリイオンの平均濃度に対する外部領域のアルカリイオンの平均濃度が１０％以下であり、内部領域のアルカリイオンが外部領域に著しく移動しない、ガラスフィラー材料。
【請求項２】
ｆ）二酸化ケイ素（ＳｉＯ2）７５〜９６．９５モル％、
ｇ）酸化アルミニウムおよび／または酸化ホウ素（Ａｌ2Ｏ3、Ｂ2Ｏ3）０〜１０モル％、
ｈ）酸化ジルコニウムおよび／または酸化チタニウムおよび／または酸化ハフニウム（ＺｒＯ2、ＴｉＯ2、ＨｆＯ2）、Ｙ2Ｏ3および／またはＳｃ2Ｏ3および／またはＬａ2Ｏ3および／またはＣｅＯ2および／または他のランタニド酸化物３〜３０モル％、
ｉ）アルカリ金属酸化物（Ｎａ2Ｏ、Ｌｉ2Ｏ、Ｋ2Ｏ、Ｒｂ2Ｏ、Ｃｓ2Ｏ）０．０５〜
３モル％、
ｊ）アルカリ土類金属酸化物（ＭｇＯ、ＣａＯ、ＳｒＯ、ＢａＯ）０〜１５モル％、
を含有する、歯科用複合材および歯科用修復物において使用されるガラスフィラー材料であって、
これらの粒子が、内部領域および１．５μｍまでの外部領域を有し、かつ内部領域のアルカリイオンの平均濃度に対する外部領域のアルカリイオンの平均濃度が１０％以下であり、内部領域のアルカリイオンが、乾燥プロセスによって粒子中に固定されている、ガラスフィラー材料。
【請求項３】
ｆ）二酸化ケイ素（ＳｉＯ2）７５〜９６．９５モル％、
ｇ）酸化アルミニウムおよび／または酸化ホウ素（Ａｌ2Ｏ3、Ｂ2Ｏ3）０〜５モル％、
ｈ）酸化ジルコニウムおよび／または酸化チタニウムおよび／または酸化ハフニウム（ＺｒＯ2、ＴｉＯ2、ＨｆＯ2）、Ｙ2Ｏ3および／またはＳｃ2Ｏ3および／またはＬａ2Ｏ3および／またはＣｅＯ2および／または他のランタニド酸化物３〜３０モル％、
ｉ）アルカリ金属酸化物（Ｎａ2Ｏ、Ｌｉ2Ｏ、Ｋ2Ｏ、Ｒｂ2Ｏ、Ｃｓ2Ｏ）０．０５〜
２モル％、
ｊ）アルカリ土類金属酸化物（ＭｇＯ、ＣａＯ、ＳｒＯ、ＢａＯ）０〜５モル％、
を含有する、請求項１または２に記載のガラスフィラー材料。
【請求項４】
ｅ）アルカリ金属酸化物の濃度が、２モル％を超えない、好ましくは１モル％を超えない、請求項１または２に記載のガラスフィラー材料。
【請求項５】
前記ガラスフィラー粒子が、平均粒度０．５〜３μｍ、好ましくは０．５〜１μｍを有する、請求項１〜４のいずれか一項に記載のガラスフィラー材料。
【請求項６】
平均粒度０．１〜２０μｍを有する、歯科用複合材および歯科用修復物において使用されるガラスフィラー材料を製造する方法であって、
ｇ）ＳｉＯ2５４〜９１モル％、Ａｌ2Ｏ3および／またはＢ2Ｏ3０〜１３．６モル％、ＺｒＯ2および／またはＴｉＯ2および／またはＨｆＯ2および／またはＹ2Ｏ3および／またはＳｃ2Ｏ3および／またはＬａ2Ｏ3および／またはＣｅ2Ｏ3および／または他のランタニド酸化物０〜２７．３モル％、アルカリ金属酸化物９〜２０モル％、アルカリ土類金属酸化物０〜２２．７モル％の組成物を温度１２００〜１８００℃で少なくとも３０分間溶融する工程、
ｈ）冷水中にまたは金属ローラー上に移すことによって、溶融ガラスを粉砕する工程、
ｉ）ｂ）によって得られた粒状ガラスを平均粒度ｄ50０．１〜２０μｍに微粉砕する工程、
ｊ）過剰量の脱アルカリ化剤でガラス粉末を脱アルカリ化する工程、
ｋ）脱アルカリ化剤を除去し、濾液が中性に反応するまで、ガラス粉末を極性溶媒で洗浄する工程、
ｌ）温度２００〜１１００℃で少なくとも３０分間、ガラス粉末を乾燥させる工程、
による方法。
【請求項７】
前記脱アルカリ化剤が、無機酸または有機酸、好ましくはＨＣｌ、ＨＪ、ＨＢｒ、Ｈ2ＳＯ4、Ｈ3ＰＯ4、ＨＮＯ3、ＨＣｌＯ4、ＣＨ3ＣＯＯＨ、ＣＯＯＨ−ＣＯＯＨ、Ｈ−ＣＯＯＨ、クエン酸、酒石酸またはポリカルボン酸である、請求項６に記載の方法。
【請求項８】
脱アルカリ化が、５０〜２００℃の温度で行われる、請求項６に記載の方法。
【請求項９】
ａ）二酸化ケイ素（ＳｉＯ2）７５〜９６．９５モル％、
ｂ）酸化アルミニウムおよび／または酸化ホウ素（Ａｌ2Ｏ3、Ｂ2Ｏ3）０〜１０モル％、
ｃ）酸化ジルコニウムおよび／または酸化チタニウムおよび／または酸化ハフニウム（ＺｒＯ2、ＴｉＯ2、ＨｆＯ2）、Ｙ2Ｏ3および／またはＳｃ2Ｏ3および／またはＬａ2Ｏ3および／またはＣｅＯ2および／または他のランタニド酸化物３〜３０モル％、
ｄ）アルカリ金属酸化物（Ｎａ2Ｏ、Ｌｉ2Ｏ、Ｋ2Ｏ、Ｒｂ2Ｏ、Ｃｓ2Ｏ）０．０５〜３モル％、
ｅ）アルカリ土類金属酸化物（ＭｇＯ、ＣａＯ、ＳｒＯ、ＢａＯ）０〜１５モル％、
を含有する、歯科用複合材および歯科用修復物において使用されるガラスフィラー材料であって、
前記ガラスフィラー材料の粒子が、請求項６に記載の方法によって製造される、ガラスフィラー材料。
【請求項１０】
ａ）１種または複数種のカチオンおよび／またはラジカル硬化性モノマー３〜８０重量％、
ｂ）請求項１に記載のガラスフィラー材料３〜９０重量％、
ｃ）１種または複数種の放射線不透過性フィラー０〜９０重量％、
ｄ）開始剤、遅延剤および／または促進剤０．０１〜２５重量％、
ｅ）助剤０〜２５重量％、
を含有する重合性歯科材料。
【手続補正書】
【提出日】平成19年4月27日(2007.4.27)
【手続補正１】
【補正対象書類名】特許請求の範囲
【補正対象項目名】全文
【補正方法】変更
【補正の内容】
【特許請求の範囲】
【請求項１】
肥満の哺乳動物における体脂肪および／または体重をその必要に応じて減少させる方法であって、治療有効量のアドレナリン作用性ベータ−２レセプターアゴニストサルブタモールまたはその医薬として許容される塩のオートマー体Ｒ−異性体を当該肥満哺乳動物に投与することを包含し、上記サルブタモールまたはその塩のＲ−異性体が対応するジストマー体Ｓ−異性体を実質的に含有していない、上記方法。
【請求項２】
肥満の哺乳動物における体脂肪および／または体重をその必要に応じて減少させる方法であって、対応するジストマー体Ｓ−異性体に存在する副作用を排除または最低にしながら、治療有効量のアドレナリン作用性ベータ−２レセプターアゴニストサルブタモールまたはその医薬として許容される塩のオートマー体Ｒ−異性体を当該肥満哺乳動物に投与することを包含し、上記サルブタモールまたはその塩のＲ−異性体が対応するジストマー体Ｓ−異性体を実質的に含有していない、上記方法。
【請求項３】
サルブタモールのオートマーの光学純度が約８５重量％よりも高い、請求項１または２に記載の方法。
【請求項４】
サルブタモールのオートマーの光学純度が約９８重量％よりも高い、請求項１または２に記載の方法。
【請求項５】
上記哺乳動物がウシ、ブタ、ウマ、ヒツジ、シカ、イヌ、ネコおよびヒトからなる群から選択される、請求項１または２に記載の方法。
【請求項６】
上記オートマーを慢性的に投与する、請求項１または２に記載の方法。
【請求項７】
上記哺乳動物がヒトである、請求項１または２に記載の方法。
【請求項８】
上記哺乳動物がイヌである、請求項１または２に記載の方法。
【請求項９】
上記哺乳動物がネコである、請求項１または２に記載の方法。
【請求項１０】
有効量のアドレナリン作用性ベータ−２レセプターアゴニストサルブタモールまたはその医薬として許容される塩のオートマー体Ｒ−異性体をタンパク質含有食物材料と混合する、請求項１または２に記載の方法。
【請求項１１】
上記食物材料中のサルブタモールＲ−異性体の濃度が重量で約１ｐｐｍ〜約２０ｐｐｍである、請求項１０に記載の方法。
【請求項１２】
対応するジストマー体Ｓ−異性体を実質的に含有していないサルブタモールの光学活性Ｒ−異性体約０．５ｍｇ〜約５ｍｇを含有する経口投与組成物の形態で、サルブタモールの光学的に純粋なＲ−異性体を上記哺乳動物に経口投与する、請求項１０に記載の方法。
【請求項１３】
対応するジストマー体Ｓ−異性体を実質的に含有していないサルブタモールの光学活性Ｒ−異性体の一日用量約０．５ｍｇ〜約５ｍｇを含有する投与組成物の形態で、サルブタモールの光学的に純粋なＲ−異性体を上記哺乳動物に非経口投与する、請求項１０に記載の方法。
【請求項１４】
肥満の哺乳動物における体脂肪および／または体重を減少させるのに有効な量のアドレナリン作用性ベータ−２レセプターアゴニストサルブタモールまたはその医薬として許容される塩の光学的に純粋なＲ−異性体とタンパク質含有食物材料との混合物を含有する食品組成物であって、対応するジストマー体Ｓ−異性体を実質的に含有していない、食品組成物。
【請求項１５】
上記サルブタモールのオートマーを数年にわたり毎日投与する、請求項１または２に記載の方法。
【請求項１６】
上記サルブタモールのオートマーを、体重減少させる別種の医薬とともに共投与する、請求項１または２に記載の方法。
【手続補正書】
【提出日】平成19年10月19日(2007.10.19)
【手続補正１】
【補正対象書類名】特許請求の範囲
【補正対象項目名】全文
【補正方法】変更
【補正の内容】
【特許請求の範囲】
【請求項１】
部分的にもしくは完全にアシル化されたアルファー(α)、ベータ(β)またはガンマ(γ)シクロデキストリンを含むＨＦＡ薬物製剤。
【請求項２】
ＨＦＡがＨＦＡ  １３４ａ、２２７もしくはそれらの混合物である、請求項１に記載の製剤。
【請求項３】
溶液の形態である請求項１もしくは２に記載の製剤。
【請求項４】
懸濁液の形態である請求項１もしくは２に記載の製剤。
【請求項５】
請求項１〜４のいずれか１項に記載の製剤であって、アセチル、アクリロイル、アラニル、アミノカルボニル、β−アラニル、アルキルアゼラオイル、ベンゾイル、ｔｅｒｔ−ブトキシ、ブチニル、カプロイル、クロトモイル、ホルミル、アルキルグルタリル、グリコロイル、グリシル、グリオキシロイル、ヘプタデカノイル、ヒドロペルオキシ、ヒドロキシアミノ、イソブチニル、イソバレニル、ラクトイル、レニル、レブリノイル、アルキルマロニル、マンデロイル、メタクリロイル、ミリストイル、モナノイル、アルキルオキサリル、パルミトイル、アルキルピメロイル、ピバロイル、プロパニル、サリチロイル、セリル、ソルボイル、ステアロイル、アルキルスベロイル、アルキルスクシニル、テロニル、トルノイル、バレリルもしくはバリルから選択される一つまたはそれ以上の基でシクロデキストリンがアシル化されている、製剤。
【請求項６】
請求項１〜５のいずれか１項に記載の製剤であって、該薬物が、プロピオン酸フルチカゾン、ジプロピオン酸ベクロメタゾン、フルニソリド、ブデソニド、チプレダン、コルチゾン、プレドニゾン、エフェドリン、アドレナリン、フェノテロール、ホルモテロール、イソプレナリン、メタプロテレノール、サルブタモール(sabutamol)、アルブテロ−ル、サルメテロール、テルブタリンならびにそれらの薬学的に許容され得る塩および溶媒和物ならびにそれらの組み合わせである、製剤。
【請求項７】
二つの薬物があり、そしてそれらがブデソニドおよびフマル酸ホルモテロール二水和物である、請求項１〜６のいずれか１項に記載の製剤。
【請求項８】
呼吸器疾患の処置もしくは予防のための請求項１〜７のいずれか１項に記載の製剤。
【請求項９】
喘息もしくはＣＯＰＤの処置もしくは予防のための請求項１〜７のいずれか１項に記載の製剤。
【請求項１０】
請求項１〜７のいずれか１項に記載の製剤の治療的に有効な量を患者に投与することを含む、呼吸器疾患を処置する方法。
【手続補正２】
【補正対象書類名】明細書
【補正対象項目名】００１４
【補正方法】変更
【補正の内容】
【００１４】
薬物は、吸入送達に用いられる任意の医薬的に活性な成分である。それを、呼吸器疾患の処置におけるような、目標とされる送達に必要であるならば、微粉化することができる。それは、任意の治療的もしくは診断的薬剤から選択され得る。例えば、それは、抗アレルギー剤、気管支拡張剤、気管支収縮剤、肺表面活性剤、鎮痛剤、抗生物質、ロイコトリエン阻害剤もしくはアンタゴニスト、抗コリン作動剤、肥満細胞阻害剤、抗ヒスタミン剤、抗炎症剤、抗腫瘍剤、麻酔剤、抗結核剤、造影剤、心臓血管剤、酵素、ステロイド、遺伝物質、ウイルス性ベクター、アンチセンス剤、タンパク質、ペプチドおよびそれらの組み合わせの群から選択され得る。
【手続補正３】
【補正対象書類名】明細書
【補正対象項目名】００１７
【補正方法】変更
【補正の内容】
【００１７】
薬理学的に活性な成分の組み合わせには、プロピオン酸フルチカゾン／サルメテロールキシナホエート、シクレソニド／フマル酸ホルモテロール二水和物、フランカルボン酸モメタゾン／フマル酸ホルモテロール二水和物、プロピオン酸フルチカゾン／フマル酸ホルモテロール二水和物、およびブデソニド／フマル酸ホルモテロール二水和物が含まれる。
【手続補正４】
【補正対象書類名】明細書
【補正対象項目名】００１８
【補正方法】変更
【補正の内容】
【００１８】
他の好ましい組み合わせには、ＷＯ  ２００２／８８１６７からのステロイド／ＷＯ  ２００２／７６９３３からのホルムアニリド誘導体、ＷＯ  ２００２／８８１６７からのステロイド／ＷＯ  ２００２／８８１６７からのベンゼンスルホンアミド誘導体、ＤＥ  ４１２９５３５からのステロイド／フマル酸ホルモテロール二水和物、ゾチカソン／ＷＯ  ２００２／８８１６７からのベンゼンスルホンアミド誘導体、およびゾチカソン／ホルムアニリド誘導体が含まれる。
最も好ましい組み合わせは、ブデソニド／フマル酸ホルモテロール二水和物である。
【手続補正書】
【提出日】平成19年11月7日(2007.11.7)
【手続補正１】
【補正対象書類名】特許請求の範囲
【補正対象項目名】全文
【補正方法】変更
【補正の内容】
【特許請求の範囲】
【請求項１】
式Ｉ：
【化１】
2007515403.tif 000001
［式中：
Ｒは、水素、Ｃ１−２アルキル、ハロゲンまたはＣ１−２アルコキシであり；
Ｒ１は、水素、Ｃ１−６アルキル、Ｃ２−６アルケニルまたはＣ２−６アルキニルであり；および
Ｒ２は、Ｃ１−６アルキル、Ｃ２−６アルケニルまたはＣ２−６アルキニルである］
の化合物の調製方法であって、
ａ）式ＩＶ：
【化２】
2007515403.tif 000002
ＩＶ
［式中、Ｒ３はそれぞれ独立してＣ１−６アルキルである］
を有するジアゾジカルボキシラートの存在下；
および式Ｖ：
Ｐ（Ａｒ）３
Ｖ
［式中、Ａｒはそれぞれ、ＣＨ３、ＯＣＨ３およびハロゲンから独立して選択される１−３個の置換基で置換されていてもよいフェニルである］
のトリアリールホスフィンの存在下；
および式ＶＩ：
Ａｒ’
ＶＩ
［式中、Ａｒ’は、１、２または３個のメチル基で置換されていてもよいフェニルである］
を有する溶媒の存在下；
式ＩＩ：
【化３】
2007515403.tif 000003
［式中、Ｒは上記したものと同意義である］
の化合物を式ＩＩＩ：
【化４】
2007515403.tif 000004
ＩＩＩ
［式中、Ｒ１およびＲ２は上記したものと同意義である］
の化合物と反応させて、式Ｉの化合物を形成すること；および
ｂ）工程ａ）の反応の後に、１種または複数のアルコールを反応混合物へ加えることにより、反応混合物から式Ｉの化合物を沈殿させること：
を含む、方法。
【請求項２】
Ｒ１が水素である、請求項１記載の方法。
【請求項３】
Ｒ１が水素であり、Ｒ２がＣ２−６アルケニルまたはＣ２−６アルキニルである、請求項１記載の方法。
【請求項４】
Ｒが水素であり、Ｒ１が水素であり、Ｒ２がＣ２−６アルケニルまたはＣ２−６アルキニルである、請求項１記載の方法。
【請求項５】
Ｒが水素であり、Ｒ１が水素であり、Ｒ２がプロピニルである、請求項１記載の方法。
【請求項６】
式Ｉの化合物が式：
【化５】
2007515403.tif 000005
を有する、請求項１記載の方法。
【請求項７】
式Ｖのトリアリールホスフィンがトリフェニルホスフィンである、請求項１記載の方法。
【請求項８】
Ｒ３がそれぞれ独立して、メチル、エチル、ｎ−プロピルおよび２−プロピルからなる群より選択される、請求項１記載の方法。
【請求項９】
Ｒ３がそれぞれｎ−プロピルである、請求項１記載の方法。
【請求項１０】
Ｒ３がそれぞれ２−プロピルである、請求項１記載の方法。
【請求項１１】
式ＶＩの溶媒がトルエンである、請求項１記載の方法。
【請求項１２】
式ＩＶのジアゾジカルボキシラートが式ＩＩ、ＩＩＩ、ＶおよびＶＩの化合物の混合物へ加えられる、請求項１記載の方法。
【請求項１３】
反応温度が約−１０℃ないし約３０℃に維持される速度で、式ＩＶのジアゾジカルボキシラートが式ＩＩ、ＩＩＩ、ＶおよびＶＩの化合物の混合物へ加えられる、請求項１２記載の方法。
【請求項１４】
ジアゾジカルボキシラート添加の間を通して、混合物が約−１０℃ないし約１０℃の温度に維持される、請求項１３記載の方法。
【請求項１５】
アルコールが、メタノール、エタノール、イソプロパノールまたはそれらの組み合わせを含む、請求項１記載の方法。
【請求項１６】
アルコールがメタノールを含む、請求項１記載の方法。
【請求項１７】
溶媒の容量に対するアルコールの容量の比、または１種以上のアルコールが添加される場合には、溶媒の容量に対する添加したアルコールの合計容量の比が、約１：１ないし約１：２である、請求項１記載の方法。
【請求項１８】
式Ｉの化合物が濾過により単離され、および単離された式Ｉの化合物が約９５％より高い純度を有する、請求項１記載の方法。
【請求項１９】
式ＩＩの化合物の量に基づいて約７０重量％より高い収率で、式Ｉの化合物が濾過により単離される、請求項１記載の方法。
【請求項２０】
式ＩＩの化合物に基づいて約７０重量％より高い収率で、およびさらなる蒸留、抽出またはクロマトグラフィー技法を用いなくとも約９５％より高い純度を伴って、式Ｉの化合物が濾過により単離される、請求項１記載の方法。
【請求項２１】
溶媒の容量に対するアルコールの容量の比、または１種以上のアルコールが添加される場合には、溶媒の容量に対する添加したアルコールの合計容量の比が、約１：１ないし約１：２である、請求項１４記載の方法。
【請求項２２】
該アルコールが、メタノール、エタノール、イソプロパノールまたはそれらの組み合わせを含み；該溶媒がトルエンであり；Ｒが水素であり；Ｒ１が水素であり；Ｒ２がプロピニルであり；Ｒ３がそれぞれ２−プロピルであり；およびＡｒがそれぞれフェニルである、請求項２１記載の方法。
【手続補正書】
【提出日】平成19年9月27日(2007.9.27)
【手続補正１】
【補正対象書類名】特許請求の範囲
【補正対象項目名】全文
【補正方法】変更
【補正の内容】
【特許請求の範囲】
【請求項１】
式
【化１】
2007515421.tif 000001
［式中、それぞれのＲ１は、同時に、または無関係に、水素原子またはメチル基を表し、かつＲ２は水素原子、線状もしくは分枝鎖状のＣ１〜４−アルキルまたはＣ２〜５−１−アルケニル基を表す］の基質を、式（ＩＩ）の少なくとも１の化合物と、式（ＩＩ′）の少なくとも１の化合物
【化２】
2007515421.tif 000002
［式中、Ｒ１およびＲ２は上記と同じ意味を有する］とを含有する混合物へと異性化する方法であって、該方法を、配位しないか、または弱く配位する媒体中、不活性雰囲気下に、かつ
ａ）式［Ｒｕ（ジエン）（アリル）２］、［Ｒｕ（ジエニル）２］、［Ｒｕ（テトラエン）（エン）］または［Ｒｕ（ジエン）（トリエン）］のルテニウム前駆物質と、
ｂ）式ＨＸ［式中、Ｘは弱く配位するか、または配位しないアニオンである］のプロトン酸または式Ｂ（Ｒ３）３［式中、Ｒ３はフッ化物またはフェニル基を表し、場合により１〜５の基、たとえばハライド原子またはメチルまたはＣＦ３基により置換されている］のルイス酸または式ＦｅＸ３、ＦｅＸ２、ＡｇＸ、ＡｌＹ３、ＦｅＹ３、ＦｅＹ２、ＳｎＹ２、ＳｎＹ４、ＡｇＹ、ＡｇＹ２、ＳｂＹ５、ＡｓＹ５またはＰＹ５［式中、Ｘは上記で定義した基であり、かつＹはフッ素原子または塩素原子である］のルイス酸
とを、酸／ルテニウムのモル比０．３〜３．１で、配位しないか、または弱く配位する媒体中、および不活性雰囲気下に反応させることにより得られる触媒の存在下で実施する、式Ｉの基質の異性化法。
【請求項２】
化合物（Ｉ）、（ＩＩ）または（ＩＩ′）が、式
【化３】
2007515421.tif 000003
［式中、Ｒ１およびＲ２は請求項１に記載したものと同じものを表し、かつアスタリスクは該化合物が光学活性形であることを表す］の化合物であることを特徴とする、請求項１記載の方法。
【請求項３】
基質が式
【化４】
2007515421.tif 000004
［式中、Ｒ１およびＲ２は請求項１に記載したものと同じものを表す］の基質であり、かつ得られた混合物が、式（Ｖ）および（Ｖ′）
【化５】
2007515421.tif 000005
［式中、Ｒ１およびＲ２は、請求項１に記載したものと同じものを表す］の相応する化合物を含有することを特徴とする、請求項１記載の方法。
【請求項４】
Ｒ１が水素原子を表し、かつＲ２が水素原子またはメチルまたはＣＨ＝ＣＨＣＨ３基を表すことを特徴とする、請求項３記載の方法。
【請求項５】
ルテニウム前駆物質が一般式
ｉ）［Ｒｕ（ジエン）（アリル）２］［式中、「ジエン」はＣＯＤ（シクロオクタ−１，５−ジエン）、ＮＢＤ（ノルボルナジエン）またはヘプタ−１，４−ジエンを表し、かつ「アリル」は２−アリルまたは２−メタリルを表す］、
ｉｉ）［Ｒｕ（ジエニル）２］［式中、「ジエニル」はペンタジエニル、２，４−ジメチルペンタジエニル、２，３，４−トリメチルペンタジエニル、２，４−ジ（ｔ−ブチル）−ペンタジエニル、２，４−ジメチル−１−オキサペンタジエニルまたは２，５−シクロオクタジエニルまたは２，５−シクロヘプタジエニルを表す］、
ｉｉｉ）［Ｒｕ（ジエン）（トリエン）］［式中、「ジエン」は上記と同じものを表し、かつ「トリエン」はシクロオクタ−１，３，５−トリエン（ＣＯＴ）を表す］または
ｉｖ）［Ｒｕ（テトラエン）（エン）］［式中、「テトラエン」はシクロオクタ−１，３，５，７−テトラエンを表し、かつ「エン」はシクロオクテンまたはシクロヘキセンを表す］
の化合物であることを特徴とする、請求項１記載の方法。
【請求項６】
ＸがＣｌＯ４-、Ｒ４ＳＯ３-［式中、Ｒ４は塩素またはフッ素原子であるか、またはＣ１〜Ｃ８−フルオロアルキルまたはフルオロアリール基、ＢＦ４-、ＰＦ６-、ＳｂＣｌ６-、ＡｓＣｌ６-、ＳｂＦ６-、ＡｓＦ６-またはＢＲ４-であり、Ｒはフェニル基であり、場合により１〜５の基、たとえばハライド原子またはメチルまたはＣＦ３基により置換されている］であることを特徴とする、請求項１記載の方法。
【請求項７】
酸ＨＸがＨＢＦ４・Ｅｔ２Ｏであることを特徴とする、請求項１記載の方法。
【請求項８】
ルイス酸がＦｅＣｌ３、ＡｌＣｌ３、ＳｂＦ５、ＡｓＦ５またはＰＦ５、ＡｇＦ、Ｆｅ（ＣＦ３ＳＯ３）３、ＡｇＢＦ４、ＳｎＣｌ２、ＢＦ３、ＢＭｅ３であるか、またはエーテルもしくはカルボン酸Ｒ６２ＯまたはＲ７ＣＯＯＨ［式中、Ｒ６はＣ１〜Ｃ５−アルキル基であり、かつＲ７はＣ１〜Ｃ２０−アルキル基である］とのＢＦ３の付加物であることを特徴とする、請求項１記載の方法。
【請求項９】
ａ）式［Ｒｕ（ジエン）（アリル）２］、［Ｒｕ（ジエニル）２］、［Ｒｕ（テトラエン）（エン）］または［Ｒｕ（ジエン）（トリエン）］のルテニウム前駆物質および
ｂ）式Ｂ（Ｒ３）３［式中、Ｒ３はフッ化物またはフェニル基を表し、場合により１〜５の基、たとえばハライド原子またはメチルまたはＣＦ３基により置換されている］のルイス酸または式ＦｅＸ３、ＦｅＸ２、ＡｇＸ、ＡｌＹ３、ＦｅＹ３、ＦｅＹ２、ＳｎＹ２、ＳｎＹ４、ＡｇＹ、ＡｇＹ２、ＳｂＹ５、ＡｓＹ５またはＰＹ５［式中、Ｘは上記で定義した基であり、かつＹはフッ素原子または塩素原子である］のルイス酸
を反応させ、その際、酸／ルテニウムのモル比は０．３〜３．１であり、かつ反応は配位しないか、または弱く配位する媒体中および不活性雰囲気下で実施することにより得られる触媒。
【請求項１０】
ルイス酸がＢＦ３、ＢＦ３・Ｅｔ２Ｏ、ＢＦ３・Ｂｕ２ＯまたはＢＦ３・（ＡｃＯＨ）２であることを特徴とする、請求項９記載の触媒。
【手続補正書】
【提出日】平成19年8月22日(2007.8.22)
【手続補正１】
【補正対象書類名】特許請求の範囲
【補正対象項目名】全文
【補正方法】変更
【補正の内容】
【特許請求の範囲】
【請求項１】
被験体において、緑内障性網膜症または視神経障害を処置するための医薬の調製における、Ｎｒｆ２タンパク質の核転位のための刺激活性を有する薬剤、および受容可能なキャリアを含有する組成物の有効量の、使用。
【請求項２】
前記被験体が、緑内障性網膜症または視神経障害を発症する危険がある、請求項１に記載の使用。
【請求項３】
前記被験体が、緑内障性網膜症または視神経障害の症状を有する、請求項１に記載の使用。
【請求項４】
前記薬剤が、Ｍｉｃｈａｅｌ付加アクセプター、ジフェノール、チオカルバメート、キノン、１，２−ジチオール−３−チオン、ブチル化ヒドロキシアニソール、フラボノイド、イソチオシアネート、３，５−ジ−ｔｅｒｔ−ブチル−４−ヒドロキシトルエン、エトキシキン、クマリン、これらの組み合わせ、またはこれらの薬理学的に活性な誘導体もしくはアナログを含む、請求項１に記載の使用。
【請求項５】
前記薬剤が、イソチオシアネートまたはその薬理学的に活性な誘導体を含む、請求項４に記載の使用。
【請求項６】
前記イソチオシアネートが、スルホラファンまたはその薬理学的に活性な誘導体を含む、請求項５に記載の使用。
【請求項７】
前記薬剤が、１，２−ジチオール−３−チオンまたはその薬理学的に活性な誘導体を含む、請求項４に記載の使用。
【請求項８】
前記１，２−ジチオール−３−チオンが、オルチプラッツまたはその薬理学的に活性な誘導体を含む、請求項７に記載の使用。
【請求項９】
前記薬剤が、フラボノイドまたはその薬理学的に活性な誘導体を含む、請求項４に記載の使用。
【請求項１０】
前記フラボノイドが、ケルセチンまたはその薬理学的に活性な誘導体を含む、請求項９に記載の使用。
【請求項１１】
前記医薬が、眼内注射、遅延放出送達デバイスの移植、または、局所投与、経口投与、もしくは鼻腔内投与のために調製される、請求項１に記載の使用。
【請求項１２】
前記医薬が、眼内投与のために調製される、請求項１に記載の使用。
【請求項１３】
被験体において、緑内障性網膜症または視神経障害を処置するための組成物であって、Ｎｒｆ２タンパク質の核転位のための刺激活性を有する薬剤の有効量、および受容可能なキャリアを含有する、組成物。
【請求項１４】
前記被験体が、緑内障性網膜症または視神経障害を発症する危険がある、請求項１３に記載の組成物。
【請求項１５】
前記被験体が、緑内障性網膜症または視神経障害の症状を有する、請求項１３に記載の組成物。
【請求項１６】
前記薬剤が、Ｍｉｃｈａｅｌ付加アクセプター、ジフェノール、チオカルバメート、キノン、１，２−ジチオール−３−チオン、ブチル化ヒドロキシアニソール、フラボノイド、イソチオシアネート、３，５−ジ−ｔｅｒｔ−ブチル−４−ヒドロキシトルエン、エトキシキン、クマリン、これらの組み合わせ、またはこれらの薬理学的に活性な誘導体もしくはアナログを含む、請求項１３に記載の組成物。
【請求項１７】
前記薬剤が、イソチオシアネートまたはその薬理学的に活性な誘導体を含む、請求項１６に記載の組成物。
【請求項１８】
前記イソチオシアネートが、スルホラファンまたはその薬理学的に活性な誘導体を含む、請求項１７に記載の組成物。
【請求項１９】
前記薬剤が、１，２−ジチオール−３−チオンまたはその薬理学的に活性な誘導体を含む、請求項１６に記載の組成物。
【請求項２０】
前記１，２−ジチオール−３−チオンが、オルチプラッツまたはその薬理学的に活性な誘導体を含む、請求項１９に記載の組成物。
【請求項２１】
前記薬剤が、フラボノイドまたはその薬理学的に活性な誘導体を含む、請求項１６に記載の組成物。
【請求項２２】
前記フラボノイドが、ケルセチンまたはその薬理学的に活性な誘導体を含む、請求項２１に記載の組成物。
【請求項２３】
前記組成物が、眼内注射、遅延放出送達デバイスの移植、または、局所投与、経口投与、もしくは鼻腔内投与のために調製される、請求項１３に記載の組成物。
【請求項２４】
前記組成物が、眼内投与のために調製される、請求項１３に記載の組成物。
【手続補正書】
【提出日】平成19年11月1日(2007.11.1)
【手続補正１】
【補正対象書類名】特許請求の範囲
【補正対象項目名】全文
【補正方法】変更
【補正の内容】
【特許請求の範囲】
【請求項１】
電子回路であって、
論理ゲートを形成するように構成された第１のトランジスタと第２のトランジスタと、
ａｃ電源波形を生成する交流（ａｃ）電源と、
前記ａｃ電源波形から部分整流ａｃ電源波形を生成するとともに該部分整流ａｃ電源波形を用いて前記論理ゲートに直接電力供給する部分整流段と、
を備え、前記部分整流ａｃ電源波形の半サイクルのピーク値が前記論理ゲートに電力供給するのに十分な電圧を有し、前記部分整流段は前記論理ゲートに電力供給するには不十分な平均直流(ｄｃ)電圧を生成し、前記ａｃ電源波形は前記論理ゲートの伝搬遅延より小さな周期を有する電子回路。
【請求項２】
前記部分整流段が、前記部分整流ａｃ電源波形として一次直流（ｄｃ）電源信号を生成するには不十分な容量性フィルタリングを有する半波整流器を含む、請求項１に記載の回路。
【請求項３】
前記回路が一連のインバータ段を含み、該インバータ段がリング発振器の少なくとも一部を形成するように結合されており、さらに前記回路は複数のデータ線と、前記リング発振器により生成されたクロック信号に応じて前記データ線からデータを選択的に出力する複数の論理ゲートと、を備える請求項１に記載の回路。
【請求項４】
前記トランジスタのうちの少なくとも１つが有機薄膜トランジスタであり、前記論理ゲートが無線識別（ＲＦＩＤ）タグの一部を形成する請求項１に記載の回路。
【請求項５】
少なくとも第１のトランジスタと第２のトランジスタとにより形成された論理ゲートに、ａｃ電源と部分整流段から生成された部分整流交流（ａｃ）電源波形を用いて直接電力供給するステップを有する方法であって、前記部分整流ａｃ電源波形の半サイクルのピーク値が前記論理ゲートに電力供給するのに十分な電圧を有し、前記部分整流段は前記論理ゲートに電力供給するには不十分な平均直流(ｄｃ)電圧を生成し、前記ａｃ電源波形は前記論理ゲートの伝搬遅延より小さな周期を有する方法。
【請求項６】
前記部分整流段が、前記部分整流ａｃ電源波形として一次直流（ｄｃ）電源信号を生成するには不十分な容量性フィルタリングを有する半波形整流器を含む、請求項５に記載の方法。
【請求項７】
前記トランジスタのうちの少なくとも１つが有機薄膜トランジスタであり、前記論理ゲートが無線識別（ＲＦＩＤ）タグの一部を形成する請求項５に記載の方法。
【請求項８】
前記論理ゲートは一連のインバータ段を含む回路の１つのインバータ段の一部を形成し、前記一連のインバータ段はリング発振器の少なくとも一部を形成するように結合され、さらに前記回路は複数のデータ線と、前記リング発振器により生成されたクロック信号に応じて前記データ線からデータを選択的に出力する複数の論理ゲートと、を備える請求項７に記載の方法。
【請求項９】
無線識別（ＲＦＩＤ）タグであって、
論理ゲートを形成するように構成された第１および第２のトランジスタと、
無線周波数（ＲＦ）エネルギーを交流（ａｃ）電源波形に変換する無線周波数（ＲＦ）変換器と、
前記ａｃ電源波形から部分整流ａｃ電源波形を生成するとともに該部分整流ａｃ電源波形を用いて前記論理ゲートに直接電力供給する部分整流段であって、前記部分整流ａｃ電源波形の半サイクルのピーク値が前記論理ゲートに電力供給するのに十分な電圧を有し、この部分整流段は前記論理ゲートに電力供給するには不十分な平均直流(ｄｃ)電圧を生成し、前記ａｃ電源波形は前記論理ゲートの伝搬遅延より小さな周期を有する、部分整流段と、
情報を伝達する変調器と、
を備える無線識別（ＲＦＩＤ）タグ。
【請求項１０】
無線識別（ＲＦＩＤ）システムであって、
請求項９に記載のＲＦＩＤタグと、
前記ＲＦ変換器による変換のために無線周波数（ＲＦ）エネルギーを前記ＲＦＩＤタグに送信し、前記ＲＦエネルギーに応じて前記ＲＦＩＤタグ内の前記変調器により伝達された情報を読み取るＲＦＩＤリーダと、
を備える無線識別（ＲＦＩＤ）システム。
【手続補正書】
【提出日】平成19年10月31日(2007.10.31)
【手続補正１】
【補正対象書類名】特許請求の範囲
【補正対象項目名】全文
【補正方法】変更
【補正の内容】
【特許請求の範囲】
【請求項１】
細胞をＦＧＦ-２及びＶＥＧＦＲ-２リガンドに暴露させることを含む、神経前駆細胞の移動を調節する方法。
【請求項２】
前記細胞を、ＶＥＧＦＲ-２リガンドに暴露させる前にＦＧＦ-２に暴露させる、請求項１に記載の方法。
【請求項３】
前記ＶＥＧＦＲ-２リガンドが、ＶＥＧＦ、ＶＥＧＦ-Ｅ、及びＶＥＧＦ-Ｃ／ＤΔNΔCよりなる群から選択される、請求項１に記載の方法。
【請求項４】
神経細胞の消失又は傷害に関与する障害を有する哺乳動物の治療用の医薬組成物であって、ＶＥＧＦＲ-２リガンド及びＦＧＦ-２を含み、ここで当該哺乳動物を当該医薬組成物に暴露させて、神経細胞の消失又は傷害部位への神経前駆細胞の移動を刺激する、前記医薬組成物。
【請求項５】
前記哺乳動物のＶＥＧＦＲ-２リガンドへの暴露が、当該哺乳動物にＶＥＧＦＲ-２リガンドを投与することを含む、請求項４に記載の医薬組成物。
【請求項６】
前記ＶＥＧＦＲ-２リガンドが、ＶＥＧＦ、ＶＥＧＦ-Ｅ、及びＶＥＧＦ-Ｃ／ＤΔNΔCよりなる群から選択される、請求項４に記載の医薬組成物。
【請求項７】
前記ＦＧＦ-２、ＶＥＧＦＲ-２リガンド、又はその両方が、神経細胞の消失又は傷害部位に投与される、請求項４に記載の医薬組成物。
【請求項８】
前記神経前駆細胞が、前記哺乳動物に移植される、請求項４に記載の医薬組成物。
【請求項９】
前記細胞が、ＶＥＧＦＲ-１及びＶＥＧＦＲ-２を発現する、請求項８に記載の医薬組成物。
【請求項１０】
前記細胞が、ＰＳＡ-ＮＣＡＭ、ダブルコルチン、ＮｅｕＮ、ＮＧ２、Ａ２Ｂ５、フォンウィルブラント因子、ＲＥＣＡ-１、又はこれらの任意の組合せを発現しない、請求項８に記載の医薬組成物。
【請求項１１】
神経細胞の消失又は傷害に関与する前記障害が、脳傷害である、請求項４に記載の医薬組成物。
【請求項１２】
前記脳傷害が、頭部外傷、脳卒中、酸素欠乏、又は虚血により生じる、請求項１１に記載の医薬組成物。
【請求項１３】
前記ＦＧＦ-２が、生体適合性マトリックスに関連する、請求項４に記載の医薬組成物。
【請求項１４】
前記ＶＥＧＦＲ-２リガンドが、生体適合性マトリックスに関連する、請求項４に記載の医薬組成物。
【請求項１５】
欠陥神経集団を有する神経組織部位を有する哺乳動物の治療用の医薬組成物であって、ＶＥＧＦＲ-２リガンドを含み、ここで当該哺乳動物をＦＧＦ-２の存在下で当該医薬組成物に暴露して、神経組織部位への神経前駆細胞の移動を刺激する、前記医薬組成物。
【請求項１６】
前記哺乳動物のＶＥＧＦＲ-２リガンドへの暴露が、当該哺乳動物にＶＥＧＦＲ-２リガンドを投与することを含む、請求項１５に記載の医薬組成物。
【請求項１７】
前記ＶＥＧＦＲ-２リガンドが、ＶＥＧＦ、ＶＥＧＦ-Ｅ、及びＶＥＧＦ-Ｃ／ＤΔNΔCよりなる群から選択される、請求項１５に記載の医薬組成物。
【請求項１８】
神経前駆細胞の移動を調節する方法であって、当該細胞を、ＶＥＧＦＲ-２リガンド及び当該細胞上にＶＥＧＦＲ-２の発現を増加できる化合物に暴露することを含む、前記方法。
【請求項１９】
前記化合物がＦＧＦ-２である、請求項１８に記載の方法。
【請求項２０】
ＦＧＦ-２を含有する生体適合性マトリックスを含む組成物。
【請求項２１】
前記生体適合性マトリックスが、ＶＥＧＦＲ-２リガンドをさらに含む、請求項２０に記載の組成物。
【請求項２２】
神経前駆細胞をさらに含む、請求項２０に記載の組成物。
【請求項２３】
前記細胞が、ＶＥＧＦＲ-１及びＶＥＧＦＲ-２を発現する、請求項２２に記載の組成物。
【請求項２４】
前記細胞が、ＰＳＡ-ＮＣＡＭ、ダブルコルチン、ＮｅｕＮ、ＮＧ２、Ａ２Ｂ５、フォン・ウィルブラント因子、ＲＥＣＡ-１、又はこれらの任意の組合せを発現しない、請求項２２に記載の組成物。
【請求項２５】
ＶＥＧＦＲ-２リガンド、ＦＧＦ-２、及び担体を含む医薬組成物。
【請求項２６】
神経前駆細胞をさらに含む、請求項２５に記載の組成物。
【手続補正書】
【提出日】平成19年11月1日(2007.11.1)
【手続補正１】
【補正対象書類名】特許請求の範囲
【補正対象項目名】全文
【補正方法】変更
【補正の内容】
【特許請求の範囲】
【請求項１】
カメラ（１００）であって、
作動手段（１３０）の作動に応じて、画像の撮影と記憶手段（１０）への記憶を開始させるための前記作動手段（１３０）と、
前記記憶手段（１０）に記憶された画像を表示するための表示手段（１１０）とを含み、
前記作動手段（１３０）の作動とは独立して、実質的に連続して第１の複数画像を撮影して前記記憶手段（１０）へ記憶するとともに、さらに、
前記作動手段（１３０）の作動に応じて、第２の複数画像を撮影して記憶する
ことを特徴とするカメラ。
【請求項２】
前記記憶手段（１０）は、
第１の記憶手段（１０１）と、第２の記憶手段（１０２）とを含み、
前記作動手段（１３０）の作動に応じて撮影された前記画像は、前記第１の記憶手段（１０１）に記憶され、かつ、
前記第１および第２の複数画像は、前記第２の記憶手段に記憶される
ことを特徴とする請求項１に記載のカメラ。
【請求項３】
カメラであって、
作動手段（１３０）の作動に応じて、画像の撮影と第１の記憶手段（１０１）への記憶を開始させるための前記作動手段と、
前記第１の記憶手段（１１０）に記憶された画像を表示するための表示手段（１１０）とを含み、
前記作動手段（１３０）の作動とは独立して、実質的に連続して第１の複数画像を撮影して第２の記憶手段（１０２）へ記憶するとともに、さらに、
前記作動手段（１３０）の作動に応じて第２の複数画像を撮影して前記第２の記憶手段（１０２）へ記憶する
ことを特徴とするカメラ。
【請求項４】
前記第１の記憶手段（１０１）は、不揮発性の記憶手段であることを特徴とする請求項２または３に記載のカメラ。
【請求項５】
前記第２の記憶手段は、一時的な記憶手段であることを特徴とする請求項２乃至４の何れか１項に記載のカメラ。
【請求項６】
前記一時的な記憶手段は、バッファ記憶装置であることを特徴とする請求項５に記載のカメラ。
【請求項７】
前記第１の記憶手段（１０１）に記憶させるための１つまたは部分集合の画像を前記第２の記憶手段（１０２）からユーザに選択させるための選択手段をさらに含む
ことを特徴とする請求項２乃至６の何れか１項に記載のカメラ。
【請求項８】
前記表示手段（１１０）に前記第２の記憶手段（１０２）に記憶されている画像の表示を開始するための手段をさらに含むことを特徴とする請求項２乃至７の何れか１項に記載のカメラ。
【請求項９】
前記表示手段（１１０）に表示させた画像をユーザに選択させ、かつ、前記第１の記憶手段（１０１）に前記選択された画像を記憶する手段をさらに含む
ことを特徴とする請求項８に記載のカメラ。
【請求項１０】
前記第２の記憶手段（１０２）に、単位時間当たりに記憶する画像の数をユーザに設定させるための手段をさらに含む
ことを特徴とする請求項２乃至９の何れか１項に記載のカメラ。
【請求項１１】
前記第２の複数画像における画像の総数をユーザに設定させるための手段をさらに含む
ことを特徴とする請求項１乃至１０の何れか１項に記載のカメラ。
【請求項１２】
画像の解像度、シャッター、ハードウェア制限およびメモリ制限の１以上の条件に従って前記第２の複数画像における画像の総数を自動的に調整する手段をさらに含む
ことを特徴とする請求項１乃至１１の何れか１項に記載のカメラ。
【請求項１３】
前記第１および第２の複数画像のうち少なくとも一方において、記憶される画像の解像度をユーザに設定させるための手段をさらに含む
ことを特徴とする請求項１乃至１２の何れか１項に記載のカメラ。
【請求項１４】
前記第２の複数画像における画像の数は、１から５００、より好ましくは２から２５０または最も好ましくは２から５０の間で設定される
ことを特徴とする請求項１乃至１３の何れか１項に記載のカメラ。
【請求項１５】
前記カメラ（１００）のフラッシュは、画像の撮影に同調して作動する
ことを特徴とする請求項１乃至１４の何れか１項に記載のカメラ。
【請求項１６】
前記第２の記憶手段（１０２）において、実時間情報が各画像に伴って記憶される
ことを特徴とする請求項１乃至１５の何れか１項に記載のカメラ。
【請求項１７】
前記カメラ（１００）は、移動通信装置に一体化されている
ことを特徴とする請求項１乃至１６の何れか１項に記載のカメラ。
【請求項１８】
移動通信装置との接続を確立するための手段をさらに含む
ことを特徴とする請求項１乃至１７の何れか１項に記載のカメラ。
【請求項１９】
請求項１乃至１８の何れか１項に記載のカメラ（１００）を含む移動電話機。
【請求項２０】
カメラ（１００）によって画像を撮影するための方法であって、
作動手段（１３０）の作動と独立して、実質的に連続して第１の複数画像（１４０）を撮影して記憶するステップと、
前記作動手段（１３０）の作動に応じて、画像（１５０）を撮影して記憶手段（１０、１０１）に記憶するステップと、
前記作動手段（１３０）の作動に応じて、第２の複数画像（１６０）を撮影して記憶するステップと、
作動手段（１３０）の作動に応じて、撮影され、かつ、前記記憶手段（１０、１０１）に記憶された前記画像（１５０）を表示手段（１１０）に表示させるステップと、
ユーザの要求により、前記第１および第２の複数画像のうち少なくとも一方からの画像を前記表示手段（１１０）に表示させるステップと、
前記記憶手段（１０、１０１）に記憶されている第１または第２の複数画像から画像をユーザに選択させるためのステップと、
前記記憶手段（１０、１０１）に記憶されている第１または第２の複数画像からユーザが画像を選択した場合に、前記記憶手段（１０、１０１）に前記選択された画像を記憶するステップと
含むことを特徴とする方法。